(57)【特許請求の範囲】
【請求項１】
フェース面に複数本のスコアラインが等ピッチで形成されたゴルフクラブヘッドにおいて、
前記スコアラインの縁には丸みが形成され、
隣接する前記スコアラインの間の各領域に、前記スコアラインと平行なＮ本（Ｎ≧２）の細溝が前記スコアラインと直交する方向に間隔ｄ（ｄ≧０）で形成された細溝形成領域を備え、
隣接する前記スコアラインの前記丸みの端点間の幅をＳ、全ての前記細溝の幅の合計値をＷｔ、隣接する前記スコアラインのうちの一方の前記スコアラインの前記丸みの端点から前記細溝形成領域までの幅をＡ１、隣接する前記スコアラインのうちの他方の前記スコアラインの前記丸みの端点から前記細溝形成領域までの幅をＡ２、前記細溝の幅のうちの最大の幅をＷｍａｘ、とすると、
各々の前記細溝形成領域において、
０≦Ａ１＋Ａ２＜Ｗｍａｘ＋ｄ、
｜Ａ１−Ａ２｜＜（Ｗｍａｘ＋ｄ）／４、
Ｗｔ＋ｄ×（Ｎ−１）＋Ａ１＋Ａ２＝Ｓ
であり、かつ、
前記スコアラインと直交する方向で両端部に位置するそれぞれの前記細溝の幅が、最も大きいことを特徴とするゴルフクラブヘッド。
【請求項２】
フェース面に複数本のスコアラインが等ピッチで形成されたゴルフクラブヘッドにおいて、
前記スコアラインの縁には丸みが形成され、
隣接する前記スコアラインの間の各領域に、前記スコアラインと平行なＮ本（Ｎ≧２）の細溝が前記スコアラインと直交する方向に間隔ｄ（ｄ≧０）で形成された細溝形成領域を備え、
隣接する前記スコアラインの前記丸みの端点間の幅をＳ、全ての前記細溝の幅の合計値をＷｔ、隣接する前記スコアラインのうちの一方の前記スコアラインの前記丸みの端点から前記細溝形成領域までの幅をＡ１、隣接する前記スコアラインのうちの他方の前記スコアラインの前記丸みの端点から前記細溝形成領域までの幅をＡ２、前記細溝の幅のうちの最大の幅をＷｍａｘ、とすると、
各々の前記細溝形成領域において、
０≦Ａ１＋Ａ２＜Ｗｍａｘ＋ｄ、
｜Ａ１−Ａ２｜＜（Ｗｍａｘ＋ｄ）／４、
Ｗｔ＋ｄ×（Ｎ−１）＋Ａ１＋Ａ２＝Ｓ
であり、かつ、
前記スコアラインと直交する方向で両端部に位置するそれぞれの前記細溝の深さが、最も深いことを特徴とするゴルフクラブヘッド。
【請求項３】
フェース面に複数本のスコアラインが等ピッチで形成されたゴルフクラブヘッドにおいて、
前記スコアラインの縁には丸みが形成され、
隣接する前記スコアラインの間の各領域に、前記スコアラインと平行なＮ本（Ｎ≧２）の細溝が前記スコアラインと直交する方向に間隔ｄ（ｄ≧０）で形成された細溝形成領域を備え、
隣接する前記スコアラインの前記丸みの端点間の幅をＳ、全ての前記細溝の幅の合計値をＷｔ、隣接する前記スコアラインのうちの一方の前記スコアラインの前記丸みの端点から前記細溝形成領域までの幅をＡ１、隣接する前記スコアラインのうちの他方の前記スコアラインの前記丸みの端点から前記細溝形成領域までの幅をＡ２、前記細溝の幅のうちの最大の幅をＷｍａｘ、とすると、
各々の前記細溝形成領域において、
０≦Ａ１＋Ａ２＜Ｗｍａｘ＋ｄ、
｜Ａ１−Ａ２｜＜（Ｗｍａｘ＋ｄ）／４、
Ｗｔ＋ｄ×（Ｎ−１）＋Ａ１＋Ａ２＝Ｓ
であり、かつ、
前記細溝により形成される突起のうち、前記スコアラインと直交する方向で両端部に位置するそれぞれの前記細溝により形成される突起が、最も突出していることを特徴とするゴルフクラブヘッド。
【発明の詳細な説明】
【技術分野】
【０００１】
本発明はゴルフクラブヘッドに関するものである。
【背景技術】
【０００２】
一般に、ゴルフクラブヘッドのフェース面にはトウ−ヒール方向に互いに平行な複数の直線状の溝が形成されている。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。
【０００３】
ここで、競技用のゴルフクラブヘッドのスコアラインに関するルールでは、スコアラインの側壁とフェース面とに内接する半径０．０１０インチの仮想円と同心であって、半径０．０１１インチの仮想円の内側に、スコアラインの縁が位置しなければならないことを原則とするルールが規定されている（以下、２円ルールという。）。この２円ルールを満たすために、例えば、スコアラインの縁に丸みをつけることが有効である。
【０００４】
しかし、スコアラインの縁に丸みをつけると、打球のバックスピン量が低減する。そこで、スコアラインよりも細かい溝をフェース面に形成することが（例えば、特許文献１に記載）、打球のバックスピン量の低減の防止に有効である。
【先行技術文献】
【特許文献】
【０００５】
【特許文献１】特開２００７−２０２６３３号公報
【発明の概要】
【発明が解決しようとする課題】
【０００６】
しかし、スコアラインよりも細かい溝をフェース面に形成した場合、打点の位置によって、バックスピン量にばらつきが生じる場合がある。このばらつきは僅かなばらつきであるが、鋭敏な感覚を持つ上級者によっては気になる場合がある。
【０００７】
本発明の目的は、スコアラインの縁に丸みを形成した場合に、打球のバックスピン量の低減を防止し、かつ、打点の位置によってバックスピン量にばらつきが生じることを低減することにある。
【課題を解決するための手段】
【０００８】
本発明によれば、フェース面に複数本のスコアラインが等ピッチで形成されたゴルフクラブヘッドにおいて、前記スコアラインの縁には丸みが形成され、隣接する前記スコアラインの間の各領域に、前記スコアラインと平行なＮ本（Ｎ≧２）の細溝が前記スコアラインと直交する方向に間隔ｄ（ｄ≧０）で形成された細溝形成領域を備え、隣接する前記スコアラインの前記丸みの端点間の幅をＳ、全ての前記細溝の幅の合計値をＷｔ、隣接する前記スコアラインのうちの一方の前記スコアラインの前記丸みの端点から前記細溝形成領域までの幅をＡ１、隣接する前記スコアラインのうちの他方の前記スコアラインの前記丸みの端点から前記細溝形成領域までの幅をＡ２、前記細溝の幅のうちの最大の幅をＷｍａｘ、とすると、各々の前記細溝形成領域において、０≦Ａ１＋Ａ２＜Ｗｍａｘ＋ｄ、｜Ａ１−Ａ２｜＜（Ｗｍａｘ＋ｄ）／４、Ｗｔ＋ｄ×（Ｎ−１）＋Ａ１＋Ａ２＝Ｓであり、かつ、前記スコアラインと直交する方向で両端部に位置するそれぞれの前記細溝の幅が、最も大きいことを特徴とするゴルフクラブヘッドが提供される。
また、本発明によれば、フェース面に複数本のスコアラインが等ピッチで形成されたゴルフクラブヘッドにおいて、前記スコアラインの縁には丸みが形成され、隣接する前記スコアラインの間の各領域に、前記スコアラインと平行なＮ本（Ｎ≧２）の細溝が前記スコアラインと直交する方向に間隔ｄ（ｄ≧０）で形成された細溝形成領域を備え、隣接する前記スコアラインの前記丸みの端点間の幅をＳ、全ての前記細溝の幅の合計値をＷｔ、隣接する前記スコアラインのうちの一方の前記スコアラインの前記丸みの端点から前記細溝形成領域までの幅をＡ１、隣接する前記スコアラインのうちの他方の前記スコアラインの前記丸みの端点から前記細溝形成領域までの幅をＡ２、前記細溝の幅のうちの最大の幅をＷｍａｘ、とすると、各々の前記細溝形成領域において、０≦Ａ１＋Ａ２＜Ｗｍａｘ＋ｄ、｜Ａ１−Ａ２｜＜（Ｗｍａｘ＋ｄ）／４、Ｗｔ＋ｄ×（Ｎ−１）＋Ａ１＋Ａ２＝Ｓであり、かつ、前記スコアラインと直交する方向で両端部に位置するそれぞれの前記細溝の深さが、最も深いことを特徴とするゴルフクラブヘッドが提供される。
また、本発明によれば、フェース面に複数本のスコアラインが等ピッチで形成されたゴルフクラブヘッドにおいて、前記スコアラインの縁には丸みが形成され、隣接する前記スコアラインの間の各領域に、前記スコアラインと平行なＮ本（Ｎ≧２）の細溝が前記スコアラインと直交する方向に間隔ｄ（ｄ≧０）で形成された細溝形成領域を備え、隣接する前記スコアラインの前記丸みの端点間の幅をＳ、全ての前記細溝の幅の合計値をＷｔ、隣接する前記スコアラインのうちの一方の前記スコアラインの前記丸みの端点から前記細溝形成領域までの幅をＡ１、隣接する前記スコアラインのうちの他方の前記スコアラインの前記丸みの端点から前記細溝形成領域までの幅をＡ２、前記細溝の幅のうちの最大の幅をＷｍａｘ、とすると、各々の前記細溝形成領域において、０≦Ａ１＋Ａ２＜Ｗｍａｘ＋ｄ、｜Ａ１−Ａ２｜＜（Ｗｍａｘ＋ｄ）／４、Ｗｔ＋ｄ×（Ｎ−１）＋Ａ１＋Ａ２＝Ｓであり、かつ、前記細溝により形成される突起のうち、前記スコアラインと直交する方向で両端部に位置するそれぞれの前記細溝により形成される突起が、最も突出していることを特徴とするゴルフクラブヘッドが提供される。
【発明の効果】
【０００９】
本発明によれば、スコアラインの縁に丸みを形成した場合に、打球のバックスピン量の低減を防止し、かつ、打点の位置によってバックスピン量にばらつきが生じることを低減することができる。
【図面の簡単な説明】
【００１０】
【図１】本発明の一実施形態に係るゴルフクラブヘッド１の外観図。
【図２】スコアライン２０及び細溝３０の、その長手方向（トウ−ヒール方向）に直交するｄ１方向の断面図。
【図３】スコアライン２０の縁２３の拡大断面図。
【図４】細溝３０を形成する前の一次成形品１'を示す断面図。
【図５】ＮＣフライス盤による細溝３０の形成方法の説明図。
【図６】細溝３０の他の例を示す断面図。
【図７】細溝３０の他の例を示す断面図。
【図８】細溝３０の他の例を示す断面図。
【図９】細溝３０の他の例を示す断面図。
【図１０】細溝３０を形成する前の一次成形品１'の他の例を示す断面図。
【図１１】（Ａ）乃至（Ｄ）は細溝３０の断面形状例を示す断面図。
【発明を実施するための形態】
【００１１】
＜第１実施形態＞
図１は本発明の一実施形態に係るゴルフクラブヘッド１の外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用できる。
【００１２】
ゴルフクラブヘッド１は、そのフェース面（打撃面）１０に複数本のスコアライン２０が形成されている。各々のスコアライン２０はトウ−ヒール方向に延設された、互いに平行な直線状の溝である。また、フェース面１０には、複数本の細溝３０が形成されている。細溝３０はスコアライン２０と平行にトウ−ヒール方向に延設された直線状の溝であり、スコアライン２０の長手方向と直交するｄ１方向に複数本形成されている。
【００１３】
図２はスコアライン２０及び細溝３０の、その長手方向（トウ−ヒール方向）に直交するｄ１方向の断面図であり、２本のスコアライン２０に跨る範囲の断面図である。図３はスコアライン２０の縁２３の拡大断面図である。まず、スコアライン２０について説明する。
【００１４】
本実施形態において、各スコアライン２０は等ピッチ（ピッチＰ）で形成されており、スコアライン２０の断面形状は、その長手方向の両端部を除き、同じである。また、各々のスコアライン２０の断面形状は同じである。更に、本実施形態の場合、スコアライン２０の断面形状は、その幅方向の仮想中心線ＣＬに対して対称である。仮想中心線ＣＬはフェース面１０に直交し、スコアライン２０の幅Ｗの中点を通る線である。本実施形態の場合、スコアライン２０の断面形状は台形状であるが、Ｖ字形状等、他の形状でもよい。
【００１５】
スコアライン２０は、一対の側壁２１及び底壁２２を有する。スコアライン２０の縁２３は側壁２１とフェース面１０との境界部分である。この縁２３には、図３に示すように、半径ｒの丸みが形成されている。半径ｒは、例えば、２円ルールを満たすように設定することができる。
【００１６】
次に、細溝３０について図２を参照して説明する。本実施形態では、上記の通り、スコアライン２０の縁２３に丸みを形成したが、細溝３０を形成することで打球のバックスピン量の低減を防止することができる。
【００１７】
細溝３０は、隣接するスコアライン２０の間の各領域において、幅Ｗｔの細溝形成領域において形成されている。細溝３０の形成により同じ突出量（フェース面１０の法線方向の高さ）の突起３１が形成される。各細溝形成領域の断面形状は同じである。つまり、フェース面１０の略全域に渡って、同じ形状の細溝形成領域が、スコアライン２０間に繰り返し形成される。
【００１８】
幅Ｗｔは各細溝３０の幅Ｗの合計値である。本実施形態の場合、１つの細溝形成領域に５本の細溝３０ａ〜３０ｅが形成されており、全ての細溝３０ａ〜３０ｅは断面形状が同じであって、その幅Ｗ及び深さＤが同じである。従って、Ｗｔ＝５×Ｗである。なお、製造誤差等を考慮すると、幅Ｗのうちの最大幅と最小幅との差が０．１ｍｍ未満であれば、幅が同じであると評価できる。同様に、深さＤのうちの最大深さと最小深さとの差が０．１ｍｍ未満であれば、深さが同じであると評価できる。以下、細溝３０の幅、深さが同じという場合も同様である。
【００１９】
細溝３０の幅Ｗは、例えば、２００μｍ以上８００μｍ以下であることが好ましい。細溝３０の深さＤは、浅すぎるとバックスピン量の向上が低く、深すぎるとボールに傷が付き易くなる。したがって、深さＤは１０μｍ以上３０μｍ以下であることが好ましい。細溝形成領域の表面粗さは、これが粗い程バックスピン量が向上するが、粗すぎるとボールに傷が付き易くなる。したがって、細溝形成領域の表面粗さは、算術平均粗さ（Ｒａ）で、２．０μｍ以上６．０μｍであることが好ましい。
【００２０】
競技用ゴルフクラブヘッドでは、フェース面の表面粗さについて一定の制約があり、最大高さ（Ｒｙ）が２５μｍ以下、算術平均粗さが４．５７μｍ以下である。したがって、ゴルフクラブヘッド１を競技用ゴルフクラブヘッドとする場合は、細溝３０の幅Ｗ及び深さＤを、表面粗さのルールも満たすように設計する。例えば、細溝形成領域の表面粗さは、算術平均粗さ（Ｒａ）で、２．０μｍ以上４．５７μｍ以下とすることが好ましい。また、深さＤを１０μｍ以上２５μｍ以下とすることが好ましい。
【００２１】
細溝形成領域は、隣接するスコアライン２０のうちの一方のスコアライン２０の縁の丸みの端点Ｐｅから幅Ａ１を置いた地点から開始され、隣接するスコアライン２０のうちの他方のスコアライン２０の縁２３の丸みの端点Ｐｅから幅Ａ２を置いた地点で終了する。端点Ｐｅは図３に示すように、縁２３の輪郭形状が、半径ｒの円と重ならなくなった地点である。
【００２２】
図２に戻り、細溝３０は同じ間隔ｄ（ｄ≧０）を置いて形成されている。細溝３０の幅のうちの最大の幅をＷｍａｘとすると、
０≦Ａ１＋Ａ２＜Ｗｍａｘ＋ｄ  （式１）
｜Ａ１−Ａ２｜＜（Ｗｍａｘ＋ｄ）／４  （式２）
である。なお、本実施形態の場合、上記のとおり細溝３０の幅は全て同じである。式２は幅Ａ１及び幅Ａ２が略同じであることを意味する。なお、幅Ａ１＝幅Ａ２としてもよい。この場合、製造誤差等を考慮すると両者の差が０．１ｍｍであれば幅Ａ１＝幅Ａ２と評価できる。
【００２３】
そして、端点Ｐｅ間の幅をＳとすると、幅Ｓ、幅Ｗｔ、幅Ａ１及びＡ２、並びに、間隔ｄの関係は、
Ｗｔ＋ｄ×（Ｎ−１）＋Ａ１＋Ａ２＝Ｓ  （式３）
である。Ｎは細溝３０の本数であり、本実施形態の場合は５本である。
【００２４】
上記式１乃至式３は、隣接するスコアライン２０間の略中央に、複数の細溝３０がぴったりと収まった細溝形成領域が形成されていることを意味する。本実施形態の場合、５本の細溝３０ａ乃至３０ｅが細溝形成領域にぴったりと収まっている。幅Ａ１、Ａ２は、複数本の細溝３０が細溝形成領域にぴったりと収めるための調整代であり、０又は限りなく０に近いことが好ましい。
【００２５】
本実施形態では、フェース面１０の略全域に渡って、隣接するスコアライン２０間の各領域に、このような同じパターンの細溝３０が形成されるため、同じ条件でボールを打撃した場合に、ボールと細溝３０との接触状態が略同じとなり、打点の位置によってバックスピン量にばらつきが生じることを低減することができる。しかも、本実施形態の場合、全ての細溝３０の幅Ｗ及び深さＤが同じなので、打点の位置によってバックスピン量にばらつきが生じることを更に低減できる。
【００２６】
次に、スコアライン２０及び細溝３０の形成方法について説明する。スコアライン２０は、例えば、鍛造、鋳造、切削加工、レーザ加工により形成することができる。細溝３０は、例えば、切削加工、レーザ加工により形成することができる。ここでは、スコアライン２０を鍛造により形成し、細溝３０をミーリング加工により形成する場合を図４及び図５を参照して説明する。図４は細溝３０を形成する前の一次成形品１'を示す断面図であり、図５はＮＣフライス盤による細溝３０の形成方法の説明図である。
【００２７】
まず、図４に示すように、スコアライン２０が鍛造により形成されたゴルフクラブヘッド１の一次成形品１'を作成する。一次成形品１'においては、フェース面１０に相当する面１０'に細溝３０が未加工である。
【００２８】
次に、細溝３０をミーリング加工により形成する。図５に示すように、細溝３０が未加工の一次成形品１'はＮＣフライス盤に治具２を介して固定される。なお、本実施形態の場合、フェース面１０がゴルフクラブヘッドに一体成形された場合について説明するが、フェース面１０を構成するフェース部材と、ヘッド本体とを別部材として接合してもよい。
【００２９】
ＮＣフライス盤は、Ｚ軸回りに回転駆動されるスピンドル４を有し、スピンドル４の下端には切削ツール（エンドミル）５が取り付けられている。切削ツール５の先端形状は細溝３０の断面形状に応じたものを使用する。
【００３０】
しかして、ＮＣフライス盤において、フェース面１０の平面座標を設定した後、スピンドル４を回転駆動し、フェース面１０（一次成形品１'）又は切削ツール５を細溝３０の形成方向に相対的に移動しながら、フェース面１０を切削する。一つの細溝３０を形成すると、切削ツール５をフェース面１０から離間させた後、細溝３０の配列方向に切削ツール５を相対的に移動し、次の細溝３０を形成することで、順次細溝３０が形成される。
【００３１】
フェース面１０に細溝３０を形成すると、フェース面１０の表面硬度が低下し、磨耗し易くなる場合がある。そのため、細溝３０の形成後、フェース面１０の硬度を硬くする表面処理を行うことが好ましい。このような表面処理としては、浸炭処理、窒化処理、軟窒化処理、ＰＶＤ（Physical Vapor Deposition）処理、イオンプレーティング、ＤＬＣ（ダイヤモンド  ライク  カーボン）処理、めっき処理等が挙げられる。特に、浸炭処理や窒化処理といった、表面に別の金属層を形成せず、表面を改質する表面処理が好ましい。
【００３２】
＜第２実施形態＞
上記第１実施形態では、細溝形成領域において全ての細溝３０の幅を同じ幅Ｗとしたが、異なる幅としてもよい。図６は細溝３０の他の例を示す断面図である。図６においては、図２と同じ構成については同じ符号を付している。
【００３３】
図６の例では、１つの細溝形成領域に細溝３０ａ乃至３０ｇが形成されている。このうち、図１で示した矢印ｄ１方向で、細溝形成領域の両端部に位置する細溝３０ａ及び３０ｇの幅がＷ１であり、その他の細溝３０ｂ乃至３０ｆの幅はＷ２である。幅Ｗ１と幅Ｗ２の関係はＷ１＞Ｗ２であり、両端部に位置するそれぞれの細溝３０ａ、３０ｇの幅が、最も大きくなっており、他の細溝３０ｂ〜３０ｆの幅は同じである。
【００３４】
さて、本実施形態においても、フェース面１０の略全域に渡って、隣接するスコアライン２０間の各領域に同じパターンの細溝３０が形成されるため、同じ条件でボールを打撃した場合に、ボールと細溝３０との接触状態が略同じとなり、打点の位置によってバックスピン量にばらつきが生じることを低減することができる。
【００３５】
更に、スコアライン２０に最も近い、細溝形成領域の両端部に位置する細溝３０ａ及び３０ｇの幅を他の細溝３０ｂ乃至３０ｆよりも広くしたことから、スコアライン２０の周辺によって、ボールの食い込むが強くなり、バックスピン量を更に向上できる。
【００３６】
本実施形態では、細溝形成領域の両端部に位置する細溝３０と、残りの細溝３０とで幅を異なるものとしたが、１つの細溝形成領域内の全ての細溝３０の幅が異なっていてもよい。また、例えば、両端部側に位置する細溝３０ほど相対的に幅を広く、中央部側に位置する細溝３０ほど相対的に幅を狭くするようにしてもよい。尤も、細溝３０の幅を異なるものとすると、加工に手間がかかる。したがって、図６の例のように、両端部の細溝３０と、それ以外の細溝３０とで異なるようにすることが好ましい。
【００３７】
＜第３実施形態＞
上記第１実施形態では、細溝形成領域において全ての細溝３０の深さを同じ深さＤとしたが、異なる深さとしてもよい。図７は細溝３０の他の例を示す断面図である。図７においては、図２と同じ構成については同じ符号を付している。
【００３８】
図７の例では、細溝３０ａ乃至３０ｅのうち、図１で示した矢印ｄ１方向で、細溝形成領域の両端部に位置する細溝３０ａ及び３０ｅの深さがＤ１であり、その他の細溝３０ｂ乃至３０ｄの深さはＤ２である。深さＤ１と深さＤ２の関係はＤ１＞Ｄ２であり、両端部に位置するそれぞれの細溝３０ａ、３０ｅの深さが、最も深くなっており、他の細溝３０ｂ〜３０ｄの深さは同じである。
【００３９】
本実施形態においても、フェース面１０の略全域に渡って、隣接するスコアライン２０間の各領域に同じパターンの細溝３０が形成されるため、同じ条件でボールを打撃した場合に、ボールと細溝３０との接触状態が略同じとなり、打点の位置によってバックスピン量にばらつきが生じることを低減することができる。
【００４０】
更に、スコアライン２０に最も近い、細溝形成領域の両端部に位置する細溝３０ａ及び３０ｅの深さを他の細溝３０ｂ乃至３０ｄよりも深くしたことから、スコアライン２０の周辺によって、ボールへの食い込みが強くなり、バックスピン量を更に向上できる。
【００４１】
本実施形態では、細溝形成領域の両端部に位置する細溝３０と、残りの細溝３０とで深さを異なるものとしたが、１つの細溝形成領域内の全ての細溝３０の深さが異なっていてもよい。また、例えば、両端部側に位置する細溝３０ほど相対的に深さを深く、中央部側に位置する細溝３０ほど相対的に深さを浅くするようにしてもよい。尤も、細溝３０の深さを異なるものとすると、加工に手間がかかる。したがって、図７の例のように、両端部の細溝３０と、それ以外の細溝３０とで異なるようにすることが好ましい。
【００４２】
＜第４実施形態＞
上記第１実施形態では、細溝３０により形成される突起３１の突出量（フェース面１０の法線方向の高さ）が全て同じとしたが、異なる高さとしてもよい。図８は細溝３０の他の例を示す断面図である。図８においては、図２と同じ構成については同じ符号を付している。
【００４３】
図７の例では、細溝３０ａ乃至３０ｅにより形成される突起３１ａ乃至３１ｆのうち、図１で示した矢印ｄ１方向で、細溝形成領域の両端部に位置する突起３１ａ及び３１ｆの先端が線Ｌ１で示す位置にあり、その他の突起３１ｂ乃至３１ｅの先端が線Ｌ２で示す位置にある。線Ｌ１の方が線Ｌ２よりもフェース面１０から突出方向に離れた位置にあり、両端部に位置するそれぞれの突起３１ａ、３１ｆが、最も突出している。
【００４４】
本実施形態においても、フェース面１０の略全域に渡って、隣接するスコアライン２０間の各領域に同じパターンの細溝３０が形成されるため、同じ条件でボールを打撃した場合に、ボールと細溝３０との接触状態が略同じとなり、打点の位置によってバックスピン量にばらつきが生じることを低減することができる。
【００４５】
更に、スコアライン２０に最も近い、細溝形成領域の両端部に位置する突起３１ａ及び３１ｆを他の突起３１ｂ乃至３１ｅよりも突出させたことから、スコアライン２０の周辺によって、ボールの食い込むが強くなり、バックスピン量を更に向上できる。
【００４６】
本実施形態では、細溝形成領域の両端部に位置する突起３１と、残りの突起３１とで突出量が異なるものとしたが、１つの細溝形成領域内の全ての突起３１の突出量が異なっていてもよい。また、例えば、両端部側に位置する突起３１ほど相対的に突出量を大きく、中央部側に位置する突起３１ほど相対的に突出量を小さくするようにしてもよい。尤も、突起３１の突出量を異なるものとすると、加工に手間がかかる。したがって、図８の例のように、両端部の突起３１と、それ以外の突起３１とで異なるようにすることが好ましい。
【００４７】
＜第５実施形態＞
上記第１実施形態では、突起３１が端点Ｐｅよりもフェース面１０の法線方向に突出しているが、突起３１が端点Ｐｅよりもフェース面１０の法線方向に突出しない構成としてもよい。図９は細溝３０の他の例を示す断面図である。図９においては、図２と同じ構成については同じ符号を付している。
【００４８】
図９の例では、各突起３１が端点Ｐｅよりもフェース面１０の法線方向に突出しない構成となっている。本実施形態の場合、細溝３０を形成する前の一次成形品１'は例えば、図１０に示す例のように形成される。図４の例と比較すると、図１０の例では細溝３０を形成する部分が盛り上がっていない。この図１０に示す一次成形品１'に対して、細溝３０を形成することで、突起３１が端点Ｐｅよりもフェース面１０の法線方向に突出しない構成とすることができる。
【００４９】
＜第６実施形態＞
上記第１実施形態では、細溝３０の断面形状を円弧形状としたが、他の断面形状であってもよい。図１１（Ａ）乃至（Ｄ）は細溝３０の断面形状例を示す断面図である。
【００５０】
図１１（Ａ）は細溝３０の断面形状を三角形（二等辺三角形）とした例、図１１（Ｂ）は細溝３０の断面形状を台形とした例、図１１（Ｃ）は細溝３０の断面形状を三角形（直角三角形）とした例を示す。また、これらの例では、細溝３０間の間隔は０（ｄ＝０）である。間隔ｄを０とすると、突起３１の先端がより鋭くなるため、バックスピン量向上に効果がある。図１１（Ｄ）は細溝３０の断面形状を台形とした例であるが、細溝３０間に間隔ｄを設けている。
【００５１】
＜他の実施形態＞
以上、本発明の複数の実施形態を説明したが、これらの実施形態は互いに組合せることが可能であることは言うまでもない。
【図１】
0005485779.tif 000002
【図２】
0005485779.tif 000003
【図３】
0005485779.tif 000004
【図４】
0005485779.tif 000005
【図５】
0005485779.tif 000006
【図６】
0005485779.tif 000007
【図７】
0005485779.tif 000008
【図８】
0005485779.tif 000009
【図９】
0005485779.tif 000010
【図１０】
0005485779.tif 000011
【図１１】
0005485779.tif 000012